【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
画像データを出力する電子カメラ部と、前記出力された画像データを記録する第１の記録媒体と、前記出力された画像データを記録する第２の記録媒体と、前記出力された画像データの記録先を前記第１の記録媒体と前記第２の記録媒体の間で切替える切替え手段と、前記出力された画像データに所定の情報を合成して映像信号として出力する情報合成手段と、前記情報合成手段によって出力された映像信号を表示する表示手段とを備えるビデオカメラであって、
前記所定の情報は、前記出力された画像データが前記第１の記録媒体及び第２の記録媒体のどちらに記録されるかを示す記録先情報であり、
前記表示手段は、前記記録先情報の態様を記録開始時から所定期間継続的に大きな動作で変化させ、その後の記録中は小さな動作で変化させることを特徴とするビデオカメラ。
【請求項２】
撮像部を備え、撮像された画像を格納するための第１の記録媒体、及び、当該第１の記録媒体とは異なる第２の記録媒体を装着可能なビデオカメラであって、
前記撮像部で撮像された画像を前記第１の記録媒体及び前記第２の記録媒体のいずれに格納するかを選択する選択部と、前記撮像部で撮像された画像、及び、装置の状態を表示する表示部と、前記選択部で選択された記録媒体への、前記撮像部で撮像された画像の記録を開始するか、停止するかを指示する録画指示部と、該録画指示部による指示状態に応じて、前記表示部を制御する表示制御部とを備え、
前記表示制御部は、選択された記録媒体への記録が停止状態にある場合、前記選択部で選択された記録媒体を表わす静止アイコン画像を前記表示部に表示し、選択された記録媒体への記録状態にある場合、前記選択部で選択された記録媒体を表わすアニメーションアイコンを前記表示部に表示することを特徴とするビデオカメラ。
【請求項３】
前記表示制御部は、選択された記録媒体への記録を開始してから所定期間経過するまでの第１の期間と、当該第１の期間経過以降の第２の期間では、異なるアニメーションアイコンを表示することを特徴とする請求項２に記載のビデオカメラ。
【請求項４】
前記表示制御部は、前記第１の期間ではアイコンの回転表示し、前記第２の期間ではアイコンのサイズを変化させて表示することを特徴とする請求項３に記載のビデオカメラ。
【手続補正２】
【補正対象書類名】明細書
【補正対象項目名】００１０
【補正方法】変更
【補正の内容】
【００１０】
上記目的を達成するために、請求項１記載のビデオカメラは、画像データを出力する電子カメラ部と、前記出力された画像データを記録する第１の記録媒体と、前記出力された画像データを記録する第２の記録媒体と、前記出力された画像データの記録先を前記第１の記録媒体と前記第２の記録媒体の間で切替える切替え手段と、前記出力された画像データに所定の情報を合成して映像信号として出力する情報合成手段と、前記情報合成手段によって出力された映像信号を表示する表示手段とを備えるビデオカメラであって、前記所定の情報は、前記出力された画像データが前記第１の記録媒体及び第２の記録媒体のどちらに記録されるかを示す記録先情報であり、前記表示手段は、前記記録先情報の態様を記録開始時から所定期間継続的に大きな動作で変化させ、その後の記録中は小さな動作で変化させることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
上記目的を達成するために、請求項２記載のビデオカメラは、撮像部を備え、撮像された画像を格納するための第１の記録媒体、及び、当該第１の記録媒体とは異なる第２の記録媒体を装着可能なビデオカメラであって、前記撮像部で撮像された画像を前記第１の記録媒体及び前記第２の記録媒体のいずれに格納するかを選択する選択部と、前記撮像部で撮像された画像、及び、装置の状態を表示する表示部と、前記選択部で選択された記録媒体への、前記撮像部で撮像された画像の記録を開始するか、停止するかを指示する録画指示部と、該録画指示部による指示状態に応じて、前記表示部を制御する表示制御部とを備え、前記表示制御部は、選択された記録媒体への記録が停止状態にある場合、前記選択部で選択された記録媒体を表わす静止アイコン画像を前記表示部に表示し、選択された記録媒体への記録状態にある場合、前記選択部で選択された記録媒体を表わすアニメーションアイコンを前記表示部に表示することを特徴とする。
【手続補正１１】
【補正対象書類名】明細書
【補正対象項目名】００１９
【補正方法】変更
【補正の内容】
【００１９】
請求項３記載のビデオカメラは、請求項２記載のビデオカメラにおいて、前記表示制御部は、選択された記録媒体への記録を開始してから所定期間経過するまでの第１の期間と、当該第１の期間経過以降の第２の期間では、異なるアニメーションアイコンを表示することを特徴とする。
【手続補正１２】
【補正対象書類名】明細書
【補正対象項目名】００２０
【補正方法】変更
【補正の内容】
【００２０】
請求項４記載のビデオカメラは、請求項３記載のビデオカメラにおいて、前記表示制御部は、前記第１の期間ではアイコンの回転表示し、前記第２の期間ではアイコンのサイズを変化させて表示することを特徴とする。
【手続補正１３】
【補正対象書類名】明細書
【補正対象項目名】００２１
【補正方法】変更
【補正の内容】
【００２１】
本発明のビデオカメラによれば、出力された画像データに、当該画像データが複数の記録媒体のどれに記録されるかを示す記録先情報が合成された映像信号を表示し、当該記録先情報の態様を記録開始時から所定期間継続的に大きな動作で変化させ、その後の記録中は小さな動作で変化させるので、ユーザに画像データの記録先を認識させて、記録先を間違えないようにすることができる。
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２６
【補正方法】変更
【補正の内容】
【００２６】
図１において、ビデオカメラ１００は、装置全体の制御を司るシステム制御部５と、レンズ、絞り、ＣＣＤ等からなり、被写体からの光信号を電気信号に変換して画像データを出力する電子カメラ部１（撮像部）と、電子カメラ部１によって出力された画像データを画像処理する信号処理部２と、信号処理部２によって出力された画像データとシステム制御部５から出力された所定の情報を合成し、その合成結果を映像信号として出力する合成部３（情報合成手段）と、合成部３によって出力された映像信号を表示する液晶モニタ４（表示部）とを備える。また、ビデオカメラ１００は、ビデオカメラ１００の電源入／切を切替える電源スイッチ６、記録モードを切替える記録モード切替えスイッチ７（選択部）、及び、録画を行うか否か（停止するか）を指示する録画スイッチ１０（録画指示部）を備える。なお、ビデオカメラ１００は、これ以外にも再生に関する各種スイッチを備えるが、図示はしていない。
【手続補正１７】
【補正対象書類名】明細書
【補正対象項目名】００２７
【補正方法】変更
【補正の内容】
【００２７】
また、ビデオカメラ１００は、磁気テープカセット８ａ（第１の記録媒体）を収納（装着）し、磁気テープカセット８ａの磁気テープに信号処理部２から出力された画像データを映像の記録として記録する磁気テープ記録ユニット８を備える。そして、メモリカード９ａ（第２の記録媒体）を収納（装着）し、メモリカード９ａに信号処理部２から出力された画像データを映像の記録としてメモリカード記録ユニット９を備える。
【手続補正１８】
【補正対象書類名】明細書
【補正対象項目名】００２８
【補正方法】変更
【補正の内容】
【００２８】
記録モード切替えスイッチ７は、撮像した画像をメモリカード９ａに記録するカード記録モード、磁気テープカセット８ａに記録するテープ記録モードのいずれか一方を選択するためのスイッチである。録画スイッチ１０は録画を行うか否かを指示するスイッチである。この録画スイッチ１０は押下するとＯＮ（指示状態）になり、もう一度押下するとＯＦＦ（指示状態）になる。録画スイッチ１０がＯＮになると、システム制御部５は、記録モード切替えスイッチ７で選択された磁気テープ記録ユニット８、メモリカード記録ユニット９のいずれか一方を制御して、信号処理部２で処理された画像データを記録媒体（磁気テープカセット８ａ、又は、メモリカード９ａのいずれか）に記録する。
【手続補正１９】
【補正対象書類名】明細書
【補正対象項目名】００２９
【補正方法】変更
【補正の内容】
【００２９】
また、システム制御部５は、電源スイッチ６がＯＮになり、撮影モード（再生モードについては実施形態では説明しない）にあるとき、撮影状態に応じた情報をメモリ５ａから読出し、合成部３（表示制御部）に出力する。この結果、各状況に応じた情報と撮像画像との合成画像が液晶モニタ４に表示されることになる。なお、このメモリ５ａには、各状況に応じたメッセージとなる文字列の画像データとアイコン（絵文字）の画像データが格納されている。図３は、メモリ５ａに格納されているアイコン画像の例を示している（詳細後述）。
【手続補正２０】
【補正対象書類名】明細書
【補正対象項目名】００３４
【補正方法】変更
【補正の内容】
【００３４】
ステップＳ１４の判別の結果、記録中であると判定した場合には、記録開始直後か否かを判別する（ステップＳ１５）。記録開始直後であると判断した場合には、カセットテープやメモリカードをかたどった絵文字（アイコン）（態様）をそれまでの固定表示（図３の待機時２１）から図３の記録開始時２２に示される幾つか（図示では８個）のアイコン画像を図示の矢印の順に表示を繰り返すことでアニメーションＡ表示を行う（ステップＳ１６）。この結果、テープ記録モードが選択され待機状態にあるとき、録画スイッチ１０をＯＮにした直後では、図４のアイコン４１があたかも回転表示されるものとなる。すなわち、固定表示されたアイコン４１がアニメーションＡ表示に切り換わり、ビデオカメラ１００が待機状態から録画状態に変化したことを操作者に積極的に知らしめることができる。しかも、アイコン４１がカセットテープの形をしたアイコンであることにより、操作者に録画する画像の格納先は磁気テープ記録ユニット８を介して磁気テープカセット８ａに記録されていることを通知することができる。これは、記録モードがメモリカード記録モードである場合にも同様である。
【手続補正２１】
【補正対象書類名】明細書
【補正対象項目名】００３６
【補正方法】変更
【補正の内容】
【００３６】
また、記録開始直後かどうかの判断は所定時間（第１の期間）の経過、例えば撮影に目障りにならないような秒単位の短時間（４、５秒程度）が経過したかどうかで判断する。また、図３のように、アニメーションＡのコマを何コマ分表示したかどうかで判断しても良い。図３におけるアニメーションＡにおいて、例えば、アニメーション表示の各アイコンの表示時間間隔を０．１秒とし、４秒間だけアニメーション表示するとするなら、４／０．１＝４０となる。従って、アイコン４１が１回転するのに利用する画像の数は８個であるから、アイコンが５回転するまでの期間を記録開始直後とすることができる。
【手続補正２２】
【補正対象書類名】明細書
【補正対象項目名】００３７
【補正方法】変更
【補正の内容】
【００３７】
さて、上記のようにしてアニメーションＡの表示が終わると、ステップＳ１５の判定がＮＯとなり、ステップＳ１７のアニメーションＢ表示に移行する。このアニメーションＢは、図３の記録中状態２３に示すように、大小２つのサイズのアイコン画像を交互に表示するものである。この動きは、録画スイッチ１０が再度押下され、ＯＦＦになるまで行われる。
【手続補正２３】
【補正対象書類名】明細書
【補正対象項目名】００３８
【補正方法】変更
【補正の内容】
【００３８】
このアニメーションＢは、選択された記録媒体への記録が開始されて、所定時間経過した場合（第１の期間経過以降、第２の期間）に行われる。つまり、選択された記録媒体への記録が操作者の意図したものであると判断して良い。また、操作者は被写体の撮影に注視していると考えてよいので、アニメーションＢはアニメーションＡよりは目立たないものとした。なお、アニメーションＢで表示するアイコンの位置は、必ず、液晶モニタ４の隅位置にすることが望まれる。
【手続補正２４】
【補正対象書類名】明細書
【補正対象項目名】００３９
【補正方法】変更
【補正の内容】
【００３９】
図２の処理によれば、録画スイッチ１０をＯＦＦの状態（録画待機（停止）状態）では、記録モードで選択された記録媒体の形を模したアイコン４１、またはアイコン５１が固定表示（静止アイコン画像）されており、録画スイッチ１０をＯＮにした状態（録画（記録）状態）になるとアイコン４１、またはアイコン５１が回転表示等のアニメーションＡ（アニメーションアイコン）表示することで、操作者に対して視覚変化を与えることが可能となる。この結果、操作者は、撮像した画像がいずれの記録媒体に格納されるのかを容易に認識することができる。また、録画開始して所定時間（期間）経過すると、アニメーションＡからアニメーションＢに切り換わることで、そこでも視覚変化を操作者に誘発させ、操作者への記録モードの通知を確実なものとすることができる。この結果、画像データの記録時にその記録先をユーザに知らしめ、撮影の失敗を最小限にとどめることができる。